(57)【要約】【課題】その刃物を取り替えたりする時に、その回転軸が固定用ねじの取外しまたは締付けと共に回転しない刈り取り装置を提供しようとする。【解決手段】前端面に開口３１があって、その内部に収納部を有するケーシング３と、前記ケーシングの収納部３２内に収納されており、且つその外側端が前記開口を通して前記ケーシング外へ延伸している回転軸４１を有する駆動機構４と、前記回転軸の前記外側端に設けられていて前記回転軸と同時に回転できる回転台座５と、前記回転台座の前面に取り付けられている刃物６とを備えてなった刈り取り装置において、前記ケーシングに前記回転軸を解除可能に係止してそのケーシングに対する回転を一時阻止することができる係止部７が付設されている刈り取り装置である。【選択図】    図３
0003116205.tif 000002
【実用新案登録請求の範囲】
【請求項１】
前端面に開口があって、その内部に収納部を有するケーシングと、前記ケーシングの収納部内に収納されており、且つその外側端が前記開口を通して前記ケーシング外へ延伸している回転軸を有する駆動機構と、前記回転軸の前記外側端に設けられていて前記回転軸と同時に回転できる回転台座と、前記回転台座の前面に取り付けられている刃物とを備えてなる刈り取り装置において、
前記ケーシングに前記回転軸を解除可能に係止してそのケーシングに対する回転を一時阻止することができる係止手段が付設されていることを特徴とする刈り取り装置。
【請求項２】
前端面に開口があって、その内部に収納部を有するケーシングと、前記ケーシングの収納部内に収納されており、且つその外側端が前記開口を通して前記ケーシング外へ延伸している回転軸を有する駆動機構と、前記回転軸の前記外側端に設けられていて前記回転軸と同時に回転できる回転台座と、前記回転台座の前面に取り付けられている刃物とを備えてなる刈り取り装置において、
前記回転軸の前記ケーシング内にある部分の表面に凹孔が開設してあり、前記ケーシングに前記回転軸の調整的な回転によって前記凹孔と合わせることができる通孔が開設してあり、また、該通孔に仮固定ピンが付設されていてそれをもって前記ケーシング外から前記通孔を貫通して前記凹孔に挿入して前記回転軸を係止することができることを特徴とする刈り取り装置。
【請求項３】
前記凹孔は前記回転軸を径方向に貫通してなったチャンネルからなっており、前記仮固定ピンは前記ケーシング外から前記通孔及び前記チャンネルを経由して前記ケーシングの向こう側までに至るように挿入することができる長さを有することを特徴とする請求項２に記載の刈り取り装置。
【請求項４】
前記回転台座は、その後周縁近くから後方へ前記ケーシングの前記開口端を周辺から遮蔽して保護するように延伸してなっている環状の保護ベーンを更に備えたことを特徴とする請求項１、請求項２または請求項３に記載の刈り取り装置。
【請求項５】
前記回転台座は、更に、その後周縁近くから後方へ、前記開口の内周面に沿って挿入するように延伸してなる環状のインサートベーンを備えたことを特徴とする請求項４に記載の刈り取り装置。
【請求項６】
前記ケーシングの外周面の前記開口近くに、上下２のハーフからなっていて上下脱着可能に結合して前記ケーシングを掴んでいるバンドと、前記バンドの上ハーフから上へ突出して上周辺から前記刃物及び前記回転台座を遮蔽する扇形のシールドとからなったカバーを更に備え、
また、前記バンドに、前記通孔と合わせることができる通孔が開設してあることを特徴とする請求項４に記載の刈り取り装置。
【請求項７】
前記ケーシングの外周面の前記カバーの後ろに、前記刃物の回転半径より大である半径を有し、前記刃物を保護する保護板が付設されていることを特徴とする請求項６に記載の刈り取り装置。
【請求項８】
前記回転軸は、前記外側端の前記開口近くにフランジが径方向に突出してあり、
前記刃物は、止め板によって前記回転台座の前側面に固定されており、
前記回転台座は、その一端が前記刃物に当たり、他端が前記フランジに隙間をあけて臨むように前記回転軸に外嵌しているブッシングから構成されており、
前記保護ベーンは、前記隙間内の前記回転軸の外周面から延出して前記ケーシングの前記開口端を周辺から遮蔽して保護するように設置形成されている上、その延出の根際が前記ブッシングの前記他端と前記フランジの前面とに挟まれて固定されているフード形のものからなったことを特徴とする請求項４に記載の刈り取り装置。
【考案の詳細な説明】
【技術分野】
【０００１】
本考案は、刈り取り装置に係り、特に、木、花卉などの植物の手入れをする園芸に適用される刈り取り装置に関する。
【背景技術】
【０００２】
従来、この種の刈り取り装置としては、図１に示すようなものがよく見られる。この刈り取り装置は、前端面に開口１１１があって、その内部に収納部を有するケーシング１１と、ケーシング１１内の収納部に収納されており、且つその外側端１２１Ａが開口１１１を通してケーシング１１の外へ延伸している回転軸１２１を有する駆動機構１２と、回転軸１２１の外側端１２１Ａに設けられていて回転軸１２１と同時に回転できる回転台座１３と、回転台座１３の前面に取り付けられている刃物１４とを備えてなる。操作者が駆動機構１２を起動して刃物１４を回転軸１２１の回転と共に回転させると、刃物１４により植物を刈り取ることができる。
【０００３】
しかし、この刈り取り装置を使って植物を刈り取る時に、植物の枝、葉の砕かれた屑がばらばらと周辺に飛び散って、開口１１１の周縁と回転台座１３との間の隙間を通してケーシング１１内に侵入することが時々ある。このケーシング１１内に侵入した屑は、前記隙間ないし開口１１１内に詰まったり、回転軸１２１に巻き付いたりするので、その屑を取り除いて清掃しようとしても極めて困難である。そればかりでなく、刈り取り装置の故障の要因となって刈り取り装置の寿命を縮める状態まで至る可能性もあった。
【０００４】
本考案者は、既に実願２００５−３３０８号において、前記問題を解決するために、回転台座はその後周縁近くから後方へケーシングの開口端を周辺から遮蔽して保護するように延設している環状の保護ベーンを更に備えた刈り取り装置を提案した。即ち、該刈り取り装置は、飛び散った屑がケーシング内に侵入してその内部のデバイスの運転を妨げることなく、全体のメンテナンスを容易にする上、その使用寿命を向上させることができるものである。
【特許文献１】実願２００５−３３０８号
【考案の開示】
【考案が解決しようとする課題】
【０００５】
ところが、上記いずれの刈り取り装置も、通常、固定用ねじ（図１の符号２を参照）を締め付けることにより刃物と回転台座と回転軸とが一体に取り付けられるので、刃物を取り替えたりしようとする時、回転軸が、固定用ねじの取外しまたは締付け時に一緒に回転してしまい、刃物の取替え作業を邪魔して刃物の取替えを困難にさせるという欠点がある。そこで、本考案者は、この欠点を改善しようとして研究し、本考案を創作した。
【０００６】
本考案の目的とするところは、その刃物を取り替えたりする時に、その回転軸が固定用ねじの取外しまたは締付け時に回転しない刈り取り装置を提供しようとすることにある。
【課題を解決するための手段】
【０００７】
前記目的を達成するために、本考案は、前端面に開口があって、その内部に収納部を有するケーシングと、前記ケーシングの収納部内に収納されており、且つその外側端が前記開口を通して前記ケーシング外へ延伸している回転軸を有する駆動機構と、前記回転軸の前記外側端に設けられていて前記回転軸と同時に回転できる回転台座と、前記回転台座の前面に取り付けられている刃物とを備えてなる刈り取り装置において、前記ケーシングに前記回転軸を解除可能に係止してそのケーシングに対する回転を一時阻止することができる係止手段が付設されていることを特徴とする刈り取り装置を提供する。
【考案の効果】
【０００８】
前記構造による刈り取り装置は、前記係止手段によりその回転軸を解除可能に係止してそのケーシングに対する回転を一時阻止することができるので、その刃物を取り替えたりする時に、その回転軸は固定用ねじの取外しまたは締付けと共に回転せず、即ち取替え作業を邪魔しなく、従来のものより遥かに容易に刃物の取替え作業を行うことができる。
【考案を実施するための最良の形態】
【０００９】
以下、図面を参照して、本考案の実施形態に係る刈り取り装置を詳細に説明する。図２は、本考案の第１実施形態に係る刈り取り装置の部分を分解した斜視図である。図３は、同実施形態の要部を示す側面から見た縦断面図である。この図２と図３に示すように、本考案の第１実施形態のものにあっては、主として、前端面に開口３１があってその内部に収納部３２を有するケーシング３と、ケーシング３の収納部３２内に収納されており、且つその外側端４１Ａが開口３１を通してケーシング３の外へ延伸している回転軸４１を有する駆動機構４と、回転軸４１の外側端４１Ａに設けられていて回転軸４１と同時に回転できる回転台座５と、回転台座５の前面に取り付けられている刃物６とを備えてなる刈り取り装置において、ケーシング３に回転軸４１を解除可能に係止してそのケーシング３に対する回転を一時阻止することができる係止手段７を付設したものである。
【００１０】
詳細には、回転軸４１のケーシング３内にある部分の表面に凹孔４１１が開設してあり、ケーシング３には回転軸４１の調整的な回転によって凹孔４１１と合わせることができる通孔３３が開設してあり、また、該通孔３３に係止手段７としての仮固定ピン７Ａが付設されていて、それをもってケーシング３外から通孔３３を貫通して凹孔４１１に挿入して回転軸４１を係止するできるようになっている。
【００１１】
もっと詳しく述べれば、凹孔４１１は回転軸４１を径方向に貫通してなったチャンネル４１１Ａからなっており、仮固定ピン７Ａはケーシング３外から通孔３３及びチャンネル４１１Ａを経由してケーシング３の向こう側までに至るように挿入することができる長さを有するものである。
【００１２】
このように、刃物６を取り替えたりする時に仮固定ピン７Ａを通孔３３及びチャンネル４１１Ａを経由して挿入して、回転軸４１を係止することにより、回転軸４１は、固定用ねじ８の取外しまたは締付け時に回転せず、即ち取替え作業を邪魔せず、従来より遥かに取替え作業を容易にすることができる
また、回転台座５は、その後周縁近くから後方へ、ケーシング３の開口３１端を周辺から遮蔽して保護するように延伸してなっている環状の保護ベーン５１と、開口３１の内周面に沿って挿入するように延伸してなっている環状のインサートベーン５２を一外一内にそれぞれ備えている。
【００１３】
これらの保護ベーン５１とインサートベーン５２とにより、ケーシング３の開口３１端を飛び散った屑から保護することができる。このため、飛び散った屑がその中に入れなくなる。
【００１４】
なお、本実施形態では、駆動機構４として、普通のモーターを使用しているが、これに限られるものではない。
【００１５】
次に、本考案の第２実施形態に係る刈り取り装置について説明する。図４は、本考案の第２実施形態に係る刈り取り装置における部分を分解した斜視図である。図５は、同実施形態の要部を示す側面から見た縦断面図である。図４と図５に示すように、この刈り取り装置の構造は、第１の実施形態のとほぼ同じであるが、その相違点は、以下叙述するところにある。
【００１６】
即ち、回転軸４１は外側端４１Ａの開口３１近くにフランジ４１２が径方向に突出してあり、刃物６は止め板５３によって回転台座５の前側面に固定されており、また、回転台座５はその一端５ａが刃物６に当たり、他端５ｂがフランジ４１２に隙間をあけて臨むように回転軸４１に外嵌しているブッシング５Ａから構成されている。
【００１７】
なお、第１の実施形態のように、回転台座５の後周縁近くから後方へ保護ベーン５１と、インサートベーン５２を一外一内に備えているのではなく、保護ベーン５１Ａだけが設けられている。該保護ベーン５１Ａは、前記隙間内の回転軸４１の外周面から延出してケーシング３の開口３１端を周辺から遮蔽して保護するように設置形成されている。その上で、その延出の根際がブッシング５Ａの他端５ｂとフランジ４１２の前面とに挟まれて固定されているフード形のものからなっている。
【００１８】
なお、飛び散った植物の屑が操作者や周辺の人を傷つける危険性を排除するために、更にカバー９が設けられている。該カバー９は、ケーシング３の外周面の開口３１近くに、上下２のハーフ９１１、９１２からなっていて上下脱着可能に結合してケーシング３を掴んでいるバンド９１と、バンド９１の上ハーフ９１１から上へ突出して上周辺から刃物６及び回転台座５を遮蔽する扇形のシールド９２とからなっており、また、バンド９１に、通孔３３と合わせることができる通孔９３が開設してある。
【００１９】
また、ケーシング３の外周面のカバー９の後ろに、刃物６の回転半径より大である半径を有し、刃物を保護する保護板１０が付設されている。該保護板１０によって、この刈り取り装置を使って植物を刈り取る時に例えば石などが雑草に混在する場合、刃物６は石にあたったりして破損してしまうことを避けることができる。
【００２０】
なお、本考案は、以上に述べた実施形態に限定されず、同一の技術思想内において種々の変形や応用が可能である。
【産業上の利用可能性】
【００２１】
以上説明したように、本考案の刈り取り装置によれば、その刃物を取り替えたりする時に、その回転軸は固定用ねじの取外しまたは締付けと共に回転せず、即ち取替え作業を邪魔しなく、従来より遥かに容易に取替え作業ができるとともに、全体のメンテナンスを容易にする上、作業中の刃物及びケーシング内の駆動軸に対する保護効果も高く、装置の使用寿命を向上させることも可能である。
【図面の簡単な説明】
【００２２】
【図１】従来の刈り取り装置の一例の要部を示す側面から見た縦断面図。
【図２】本考案の刈り取り装置にかかる第１の実施形態の部分分解斜視図。
【図３】同実施形態の要部を示す側面から見た縦断面図。
【図４】本考案の刈り取り装置にかかる第２の実施形態の部分分解斜視図。
【図５】同実施形態の要部を示す側面から見た縦断面図。
【符号の説明】
【００２３】
３        ケーシング
３１      開口
３２      収納部
３３      通孔
４        駆動機構
４１      回転軸
４１Ａ    外側端
４１１    凹孔
４１１Ａ  チャンネル
４１２    フランジ
５        回転台座
５Ａ      ブッシング
５ａ     （ブッシングの）一端
５ｂ     （ブッシングの）他端
５１      保護ベーン
５１Ａ    保護ベーン
５２      インサートベーン
５３      止め板
６        刃物
７        係止手段
７Ａ      仮固定ピン
８        固定用ねじ
９        カバー
９１      バンド
９１１    上ハーフ
９１２    下ハーフ
９２      シールド
９３      通孔
１０      保護板
【図１】
0003116205.tif 000003
【図２】
0003116205.tif 000004
【図３】
0003116205.tif 000005
【図４】
0003116205.tif 000006
【図５】
0003116205.tif 000007